(57)【要約】【課題】脱着が容易で施工性・メンテナンス性に優れたすべり支承用防塵カバーを提供する。【解決手段】すべり支承部材２を支持するすべり板３の上に設けられる。１対のカバー部材１０から成る。各カバー部材１０は不織布１１の上にカバーシート１２を貼り合せて成ってロール状に巻くことが可能な可撓性を有する。各カバー部材１０は互いに縁部１５で合わさってすべり支承部材２を包囲するよう挟むための凹部１３をそれぞれ縁部に有する。互いに縁部１５で合わさった状態で対向する縁部１５を着脱可能に結合する結合部材２０を有する。【選択図】図１
0003115850.tif 000002
【実用新案登録請求の範囲】
【請求項１】
すべり支承部材を支持するすべり板の上に設けられるすべり支承用防塵カバーであって、１対のカバー部材と結合部材とから成り、各カバー部材は、不織布の上にカバーシートを貼り合せて成ってロール状に巻くことが可能な可撓性を有し、互いに縁部で合わさってすべり支承部材を包囲するよう挟むための凹部をそれぞれ縁部に有し、前記結合部材は各カバー部材が互いに前記縁部で合わさった状態で対向する前記縁部を着脱可能に結合していることを特徴とするすべり支承用防塵カバー。
【考案の詳細な説明】
【技術分野】
【０００１】
本考案は、すべり支承部材を支持するすべり板の上に設けられるすべり支承用防塵カバーに関する。
【背景技術】
【０００２】
免震構造として、すべり板とすべり支承部材と防塵カバーとから構成されるものが知られている。従来の防塵カバーは、弾性体から構成され、すべり面を上方から覆い、一端部側が基礎梁の下部側面に固定され、その他端側がすべり板外周側の基礎底盤に固定されて、基礎梁と基礎底盤とを連結している（例えば、特許文献１参照）。
【０００３】
【特許文献１】特開平９−１９５５７７号公報
【考案の開示】
【考案が解決しようとする課題】
【０００４】
しかしながら、特許文献１記載の防塵カバーは、基礎梁と基礎底盤とに固定されるため、脱着に手間がかかり、メンテナンスがしにくいという課題があった。
【０００５】
本考案は、このような従来の課題に着目してなされたもので、脱着が容易で施工性・メンテナンス性に優れたすべり支承用防塵カバーを提供することを目的とする。
【課題を解決するための手段】
【０００６】
上記目的を達成するために、本考案に係るすべり支承用防塵カバーは、すべり支承部材を支持するすべり板の上に設けられるすべり支承用防塵カバーであって、１対のカバー部材と結合部材とから成り、各カバー部材は、不織布の上にカバーシートを貼り合せて成ってロール状に巻くことが可能な可撓性を有し、互いに縁部で合わさってすべり支承部材を包囲するよう挟むための凹部をそれぞれ縁部に有し、前記結合部材は各カバー部材が互いに前記縁部で合わさった状態で対向する前記縁部を着脱可能に結合していることを特徴とする。
【０００７】
本考案に係るすべり支承用防塵カバーは、１対のカバー部材の不織布を下側にし、各凹部ですべり支承部材を挟んで各カバー部材をすべり板の上に配置し、互いの縁部を合わせた状態で対向する縁部を結合部材で結合して使用する。すべり板の表面を覆うことにより、すべり板の表面に塵や埃が堆積するのを防止する。
【０００８】
本考案に係るすべり支承用防塵カバーは、ロール状に巻くことが可能な可撓性を有するので、ロール状に巻いたり折り畳んだりして運搬を容易に行うことができる。結合部材は縁部を着脱可能に結合するため、劣化や損傷したとき、結合部材を外して、点検や、各カバー部材の交換、修理を容易に行うことができる。不織布は、繊維状のため、すべり板の上の水分を表面張力により吸い上げる。さらに、すべり板の上に通気性をもたせ、万が一すべり板の表面が結露した場合にもその水分を効率的に排除する。地震の際には、すべり支承部材と一体となって動くため、すべり板の表面の塵や埃を清掃することができる。
【０００９】
不織布は、耐候性、耐腐食性、耐薬品性、防カビ性および防虫性を有することが好ましく、さらに軽量であることが好ましい。カバーシートは、表面が滑らかなポリ塩化ビニル系または合成ゴム系のシートから成ることが好ましい。結合部材は、面ファスナーから成ることが好ましい。
【考案の効果】
【００１０】
本考案によれば、脱着が容易で施工性・メンテナンス性に優れたすべり支承用防塵カバーを提供することができる。
【考案を実施するための最良の形態】
【００１１】
以下、図面に基づき本考案の実施の形態について説明する。
図１は、本考案の実施の形態の支承用防塵カバーを示している。
図１に示すように、すべり支承用防塵カバー１は、すべり支承部材２を支持するすべり板３の上に設けられる。すべり支承用防塵カバー１は、１対のカバー部材１０と結合部材２０とから成る。各カバー部材１０は、不織布１１の上にカバーシート１２を接着剤で貼り合せ、不織布１１とカバーシート１２との周縁部１２ａをミシン縫いにより縫い付けて構成されている。不織布１１は、耐候性、耐腐食性、耐薬品性、防カビ性および防虫性を有し、軽量である。カバーシート１２は、表面が滑らかなポリ塩化ビニル系または合成ゴム系のシートから成り、表面の清掃が容易である。
【００１２】
各カバー部材１０は、ロール状に巻くことが可能な可撓性を有している。各カバー部材１０は、長方形状の平板の一方の長辺の縁部中央に半円形状の凹部１３を有し、他方の長辺の両端に角部を斜めに切欠いた傾斜部１４を有している。凹部１３は、各カバー部材１０が互いに凹部１３の両側の縁部１５，１５で合わさったとき、すべり支承部材２を包囲するよう挟むようになっている。各カバー部材１０は、傾斜部１４によりすべり板３の取付孔３ａと干渉しないようになっている。
【００１３】
結合部材２０は、２組の１対の面ファスナーから成っている。結合部材２０のループ側およびフック側の一方がカバーシート１２の表面に、凹部１３の両側の縁部１５に沿って貼り付けられている。結合部材２０のループ側およびフック側の他方が各カバー部材１０にまたがってそれらの結合部材２０と結合し、各面ファスナーが互いに縁部１５，１５で合わさった状態で対向する縁部１５，１５を着脱可能に結合する。
【００１４】
次に、作用について説明する。
すべり支承用防塵カバー１は、１対のカバー部材１０の不織布１１を下側にし、各凹部１３ですべり支承部材２を挟んで各カバー部材１０をすべり板３の上、表面全体に配置し、互いの縁部１５を合わせた状態で対向する縁部１５を結合部材２０で結合して使用する。すべり板３の表面を覆うことにより、すべり板３の表面に塵や埃が堆積するのを防止する。
【００１５】
すべり支承用防塵カバー１は、ロール状に巻くことが可能な可撓性を有するので、ロール状に巻いたり折り畳んだりして運搬を容易に行うことができ、設置も容易である。結合部材２０は縁部１５を着脱可能に結合するため、劣化や損傷したとき、結合部材２０を外して、点検や、各カバー部材１０の交換、修理を容易に行うことができる。すべり支承用防塵カバー１は、不織布１１の上にカバーシート１２を貼り合せて成り、耐久性がある。また、厚さ、大きさなどの寸法加工が容易である。
【００１６】
不織布１１は、繊維状のため、すべり板３の上の水分を表面張力により吸い上げる。さらに、すべり板３の上に通気性をもたせ、万が一すべり板３の表面が結露した場合にもその水分を効率的に排除する。地震の際には、すべり支承部材２と一体となって動くため、すべり板３の表面の塵や埃を清掃することができる。
【図面の簡単な説明】
【００１７】
【図１】本考案の実施の形態の支承用防塵カバーの斜視図である。
【符号の説明】
【００１８】
１    すべり支承用防塵カバー
２    すべり支承部材
３    すべり板
１０  カバー部材
１１  不織布
１２  カバーシート
１３  凹部
１４  傾斜部
１５  縁部
２０  結合部材
【図１】
0003115850.tif 000003